(57)【特許請求の範囲】
【請求項１】
玄関先などに設置されたテレビカメラを備えたカメラ子器と、室内などに設置されたモニタテレビを備えたインターホン親機とを音声／映像信号ラインで接続し、カメラ子器から送出されてくる映像信号を、インターホン親機との間でベースバンドのままで分配させて、モニタテレビに映像を映し出するようにした中継インターホン親機であって、
上記インターホン親機から変調キャリアに重畳されて、上記音声／映像信号ラインを通じて送出されて来る制御信号を受けたときに、上記音声／映像信号ラインとの接続遮断を含む各種制御をなす伝送信号処理手段を備えており、
この伝送信号処理手段は、
変調キャリアを受信して、制御信号を取り出す復調器と、
この復調器からの出力を増幅するアンプ回路と、
このアンプ回路からの増幅信号を入力する入力ポートを有し、予め特定された基準パターンと比較して、制御信号を判別して必要な信号処理を行う信号処理回路と、
上記復調器が変調キャリアを受信したときには、上記アンプ回路を動作させる一方、変調キャリアを受信しないときには、上記アンプ回路への電源を遮断するキャリアコントロール手段とを備えた構成にしている中継インターホン親機。
【請求項２】
請求項１において、
上記復調器が変調キャリアを受信しないときは、上記キャリアコントロール手段の上記アンプ回路への電源遮断制御に代えて、上記信号処理回路が、上記入力ポートから入力される増幅信号の処理を無効にする構成にしている中継インターホン親機。
【請求項３】
請求項１において、
上記アンプ回路は、上記復調器によって変調キャリアから取り出された制御信号と、基準電源回路からの基準信号とを差動増幅する主アンプを備えた構成になっており、
上記キャリアコントロール手段は、上記復調器が変調キャリアを検出しない間は、上記主アンプの電源を遮断する一方、上記基準電源回路へは常時電源が投入される構成にしている中継インターホン親機。
【請求項４】
請求項１〜請求項３のいずれかにおいて、
上記変調キャリアは、インターホン親機がカメラ子器との間で通話する際に、音声信号をＦＭ変調するキャリア信号である中継インターホン親機。
【請求項５】
請求項１〜請求項４のいずれかにおいて、
上記変調キャリアには、所定の周波数のバースト信号を重畳して、制御信号を生成している中継インターホン親機。
【請求項６】
玄関先などに設置されたテレビカメラを備えたカメラ子器と、室内などに設置されたモニタテレビを備えたインターホン親機とを音声／映像信号ラインで接続し、その音声／映像信号ラインに、カメラ給電切替手段を介して接続された請求項１〜請求項５のいずれかに記載の中継インターホン親機を接続して構成されたテレビインターホンシステム。
【請求項７】
請求項６において、
上記中継インターホン親機、インターホン親機のモニタテレビには、カラー画像が表示される構成にしているテレビインターホンシステム。
【発明の詳細な説明】
【０００１】
【発明の属する技術分野】
本発明は、テレビカメラを備えたカメラ子器と、モニタテレビを備えたインターホン親機とを、音声／映像信号ラインで接続して構成されたテレビインターホンシステムに接続される中継インターホン親機、及びこれを用いたテレビインターホンシステムに関する。
【０００２】
【従来の技術】
２線式テレビインターホンシステムの基本構成は、玄関先にドアホン子器を設置し、室内にインターホン親機を設置して、相互に音声／映像信号ラインで接続して構成されるが、近時では、室内の数か所で来客などと応答通話が出来るようにするためインターホン親機を複数個、増設できるようにしたものが開発されている。
【０００３】
ところが、このようなシステムでは、カメラ子器から音声／映像信号ラインに送出される映像信号は、映像信号の減衰などを考慮して、カメラ子器から親機に送られ、そこでＦＭ変調されるなどしてから、増設した副親機に送出される構成になっている。したがって、親機の回路構成が複雑化し、商品コストを引き上げている。
【０００４】
そこで、カメラ子器から呼び出しがあった際には、映像信号をベースバンドのままで、親機以外のモニタテレビを有した別の親機でも受信できて、応答通話の出来る構成の簡易なテレビインターホンシステムが開発されている。
このテレビインターホンシステムは、図４に示すように、インターホン親機１０２（以下、単に「親機」ともいう）以外に、カメラ子器１０３（以下、単に「子器」ともいう）とインターホン親機１０２との間に介設される中継インターホン親機１０１（以下、「中継親機」ともいう）が使用される。
【０００５】
このシステムでは、子器１０３からの呼出時には、親機１０２、中継親機１０１のいずれでも、来客の映像を確認して応答でき、親機１０２で応答した場合には、制御信号として、中継親機１０１へ開放信号を送出して、中継親機１０１を音声／映像信号ラインから切り離す。一方、中継親機１０１で応答した場合には、中継親機１０１側で親機１０２を音声／映像信号ラインから切り離す。このような構成によって、このシステムでは、映像信号を増幅、変調することなくベースバンドのままで親機１０２、中継親機１０１に分配が出来る。
【０００６】
例えば、子器１０３から呼出があり、親機１０２において通話中は、親機１０２から子器１０３には、ＦＭ変調された６．５ＭＨｚの信号が伝送され、子器１０３から親機１０２には、ＦＭ変調された５．５ＭＨｚの信号が伝送される（▲１▼）。親機１０２からのモニタ時には、子器１０３から親機１０２に、５．５ＭＨｚの信号のみが伝送される（▲２▼）。親機１０２が通話釦の操作によって応答したときには、親機１０２から子器１０３への６．５ＭＨｚの信号に、４０ｋＨｚのバースト信号（開放信号）を重畳させて送出する（▲３▼）。また、子器１０３からの呼出に対して、中継親機１０１が応答して、子器１０３と中継親機１０１とが通話中は、中継親機１０１から子器１０３には、６．５ＭＨｚの信号が伝送され、子器１０３から中継親機１０１には、５．５ＭＨｚの信号が伝送される（▲４▼）。
【０００７】
このように、子器１０３からの呼出に対して、親機１０２と中継親機１０１の双方のモニタテレビに映像を映し出している状態で、親機１０２が通話釦の操作によって応答したときには、親機１０２から開放信号を送出し、中継親機１０１では、開放信号を復調して、映し出している映像を消すようにしている。
【０００８】
【発明が解決しようとする課題】
しかし、このようなシステムでは、親機１０２がモニタ操作を行った場合を例にとると、子器１０３から音声／映像信号ラインへは映像信号と音声信号とが重畳して送られて来るが、中継親機１０１では、この信号を、制御信号の復調回路で受けると誤動作してしまうおそれがあった。
【０００９】
なぜなら、上記したように中継親機１０１は、親機１０２側から音声キャリアを変調キャリアとして送出されて来る開放信号を受けるために、復調回路を設けているが、この復調回路の電源が投入された状態になっているため、モニタ時の映像信号に反応し、主アンプを作動してしまう結果、信号処理回路（マイコン）に入力される信号をふらつかせてしまう。
【００１０】
図５（ａ）は、子器１０３からの呼出に対して親機１０２の通話時の信号（映像信号＋音声信号）を示しており、図５（ｂ）は、モニタ時の信号（映像信号）を示している。
図６は、中継親機１０１において、開放信号などの制御信号を受けるための復調回路１１０の構成の一例を示している。制御信号が入力されると、ＦＭ復調器１１１によって、変調キャリアを受信して、制御信号を取り出し、アンプ回路１１２（主アンプ）が、復調器１１１からの出力を増幅する。この増幅信号が波形成形されてマイコンに入力されると、マイコンが制御信号を判別して必要な信号処理を行うようになっている。６．５ＭＨｚのキャリアを検出すれば、マイコンへの出力は安定するが、モニタ時は、６．５ＭＨｚのキャリアがないので、図中、「Ａ」に示すように、映像信号成分が出力されてしまう。
【００１１】
本発明は、このような事情に鑑みてなされたものであり、インターホン親機によるカメラ子器側のモニタ時において、誤動作するおそれがない中継インターホン親機、及びこれを用いたテレビインターホンシステムを提供することを目的としている。
【００１２】
【課題を解決するための手段】
上記目的を達成するために、本発明の請求項１〜請求項５には、玄関先などに設置されたテレビカメラを備えたカメラ子器と、室内などに設置されたモニタテレビを備えたインターホン親機とを音声／映像信号ラインで接続し、カメラ子器から送出されてくる映像信号を、インターホン親機との間でベースバンドのままで分配させて、モニタテレビに映像を映し出するようにした中継インターホン親機を提案する。
【００１３】
請求項１では、インターホン親機から変調キャリアに重畳されて、音声／映像信号ラインを通じて送出されて来る制御信号を受けたときに、音声／映像信号ラインとの接続遮断を含む各種制御をなす伝送信号処理手段を備えている。
この伝送信号処理手段は、変調キャリアを受信して、制御信号を取り出す復調器と、この復調器からの出力を増幅するアンプ回路と、このアンプ回路からの増幅信号を入力する入力ポートを有し、予め特定された基準パターンと比較して、制御信号を判別して必要な信号処理を行う信号処理回路と、復調器が変調キャリアを受信したときには、アンプ回路を動作させる一方、変調キャリアを受信しないときには、アンプ回路への電源を遮断するキャリアコントロール手段とを備える。
【００１４】
請求項２では、請求項１において、復調器が変調キャリアを受信しないときは、キャリアコントロール手段のアンプ回路への電源遮断制御に代えて、信号処理回路が、入力ポートから入力される増幅信号の処理を無効にする構成にしている。
請求項３では、請求項１において、アンプ回路は、復調器によって変調キャリアから取り出された制御信号と、基準電源回路からの基準信号とを差動増幅する主アンプを備えた構成になっており、キャリアコントロール手段は、復調器が変調キャリアを検出しない間は、主アンプの電源を遮断する一方、基準電源回路へは常時電源が投入される構成にしている。
【００１５】
請求項４では、請求項１〜請求項３のいずれかにおいて、変調キャリアは、インターホン親機がカメラ子器との間で通話する際に、音声信号をＦＭ変調するキャリア信号である。
請求項５では、請求項１〜請求項４のいずれかにおいて、変調キャリアには、所定の周波数のバースト信号を重畳して、制御信号を生成している。
【００１６】
請求項６と請求項７では、テレビインターホンシステムを提案しており、請求項６では、玄関先などに設置されたテレビカメラを備えたカメラ子器と、室内などに設置されたモニタテレビを備えたインターホン親機とを音声／映像信号ラインで接続し、その音声／映像信号ラインに、カメラ給電切替手段を介して接続された請求項１〜請求項５のいずれかに記載の中継インターホン親機を接続して構成される。
【００１７】
請求項７では、請求項６において、中継インターホン親機、インターホン親機のモニタテレビには、カラー画像が表示される構成にしている。
【００１８】
【発明の実施の形態】
以下に、本発明の実施の形態について、図面とともに説明する。
図１は、中継インターホン親機の要部構成の一例を示す図、図２は、中継インターホン親機を用いたテレビインターホンシステムの構成の一例を示したブロック図である。
【００１９】
図２に示すように、本発明のテレビインターホンシステムは、玄関先などに設置されたテレビカメラを備えたカメラ子器３と、室内などに設置されたモニタテレビを備えたインターホン親機２とを音声／映像信号ラインＬで接続し、カメラ子器３から送出されてくる映像信号を、中継インターホン親機１が、インターホン親機２との間でベースバンドのままで分配させて、モニタテレビに映像を映し出するようにしている。そのため、中継親機１は、子器３と親機２とを接続する音声／映像信号ラインＬに、カメラ給電切替手段１１を介して接続されている。
【００２０】
なお、中継親機１、親機２のモニタテレビには、カラー画像が表示される構成にしてもよく、その場合、映像信号はカラー信号となる。その場合、子器３にはカラーテレビカメラを備え、中継親機１、親機２には、カラーモニタテレビを備える。
中継親機１では、親機２から変調キャリアに重畳されて、音声／映像信号ラインＬを通じて送出されて来る制御信号を受けたときに、音声／映像信号ラインＬとの接続遮断を含む各種制御をなす伝送信号処理手段を備えている。この図では、伝送信号処理手段は、カメラ給電切替手段１１と、４０ｋＨｚ復調回路１０と、信号処理回路を構成するマイコン１２とで構成される。
【００２１】
中継親機１は、その他に、中継親機１において通話釦の操作によって応答したときに子器３にカメラ電源を供給するカメラ給電回路１３と、子器３に送出する信号を変調するＦＭ変調器１４（６．５ＭＨｚ）と、子器３からの信号を復調するＦＭ復調器１５（５．５ＭＨｚ）と、モニタテレビを有したＴＶ回路１６とを備える。
【００２２】
一方、親機２には、親機２において通話釦の操作によって応答したときに、制御信号（開放信号）を送出する４０ｋＨｚコマンド送出回路２０と、各部を制御するマイコン２１と、子器３からの呼出を検出したときに子器３側にカメラ電源を供給するカメラ給電回路２２と、子器３に送出する信号を変調するＦＭ変調器２３（６．５ＭＨｚ）と、子器３からの信号を復調するＦＭ復調器２４（５．５ＭＨｚ）と、モニタテレビを有したＴＶ回路２５とを備える。
【００２３】
図１は、本発明の要部である中継親機１の伝送信号処理手段の４０ｋＨｚ復調回路１０の構成例を示したものである。復調回路１０には、変調キャリアを受信して、制御信号を取り出す復調器１０ａと、この復調器１０ａからの出力を増幅するアンプ回路１０ｂと、復調器１０ａが変調キャリアを受信したときには、アンプ回路１０ｂを動作させる一方、変調キャリアを受信しないときには、アンプ回路１０ｂへの電源Ｖａを遮断するキャリアコントロール手段であるＦＭキャリアコントロール回路１０ｃとを備えている。
【００２４】
また、アンプ回路１０ｂの前方には、トランジスタ、コンデンサ、ダイオードを組み合わせた回路１０ｄを備えており、この回路１０ｄにより、アンプ回路１０ｂから出力される増幅信号は、波形成形され、マイコン１２に入力されるようになっている。
マイコン１２は、アンプ回路１０ｂからの増幅信号を入力する入力ポートＰを有し、予め特定された基準パターンと比較して、制御信号を判別して必要な信号処理を行う。
【００２５】
このような構成によれば、中継親機１では、変調キャリアを検出している通話時は、マイコン１２に出力する信号は安定する一方、変調キャリアが検出されないときには、復調回路１０の作動を禁止するので、図中、「ア」に示すように、マイコン１２に出力する信号は、制御信号（４０ｋＨｚのバースト信号）を出力する期間のみ、Ｌｏｗ出力となる。したがって、親機２によるモニタ時のように、変調キャリアがない、親機２からの制御指令がないときには、復調回路１０は不感になるので、誤動作するおそれがない。
【００２６】
ここでは、変調キャリアとして、親機１が子器３との間で通話する際に、音声信号をＦＭ変調するキャリア信号を用いている。また、変調キャリアには、所定の周波数（例えば４０ｋＨｚ程度の高周波）のバースト信号を重畳して、制御信号を生成している。すなわち、音声通話時のキャリアをそのまま使用して、制御信号である開放信号を重畳させている。このように、簡易な構成によって、中継親機１において、親機２が応答したときに音声／映像信号ラインＬが開放できるようになっている。
【００２７】
なお、変調キャリアは、親機２側から送出されて来る制御信号のキャリア信号であればよく、音声信号のキャリアと同じである必要がない。また、制御信号は、開放信号には限られない。
以上には、復調回路１０を、アンプ回路１０ｂの電源を遮断して不感にする方法を説明したが、アンプ回路１０ｂの電源Ｖａはそのままして、マイコン１２側で処理する方法もある。
【００２８】
その場合、復調器１０が変調キャリアを受信しないときは、キャリアコントロール回路１０ｃのアンプ回路１０ｂへの電源遮断制御に代えて、信号処理回路であるマイコン１２が、入力ポートＰから入力される増幅信号の処理を無効にする。このとき、キャリアコントロール回路１０ｃが、マイコン１２に変調キャリアを受信しないことを通知すればよい。このとき、マイコン１２は、子器３から呼出があってから所定時間の間（例えば３０秒間）だけ、入力ポートＰからの信号検出するようにしてもよい。
【００２９】
また、図１に示すように、復調回路１０において、アンプ回路１０ｂは、復調器１０ａによって変調キャリアから取り出された制御信号と、基準電源回路Ｖｂからの基準信号とを差動増幅する主アンプａを備えた構成になっている。
キャリアコントロール回路１０ｃは、復調器１０ａが変調キャリアを検出したときは、主アンプａの電源を投入する一方、基準電源回路Ｖｂも電源を投入する。また、復調器１０ａが変調キャリアを検出しない間は、主アンプａの電源を遮断する一方、基準電源回路Ｖｂも電源を遮断する。
【００３０】
ところが、復調器１０ａが変調キャリアを検出した時に、主アンプａの基準電源回路Ｖｂと、主アンプａへの電源Ｖａへの投入を同時すると、アンプ電源Ｖａと基準電源Ｖｂとが立上り時定数に差があるために、図中、「イ」の影響により、アンプ回路１０ｂからの出力「ウ」は、図３に示すように、電源投入当初に、「エ」のようなスパイクが生じる波形となって、一瞬不安定になることがあり、回路設計上、望ましくない。
【００３１】
そこで、キャリアコントロール回路１０ｃは、復調器１０ａが変調キャリアを検出したときは、主アンプａの電源を投入する一方、復調器１０ａが変調キャリアを検出しない間は、主アンプａの電源を遮断するが、基準電源回路Ｖｂへは常時電源を投入するようにする。
このように、主アンプａの基準電源回路Ｖｂは常時投入しておき、復調器１０ａが変調キャリアを検出した時に、主アンプａへの電源Ｖａのみを投入して、アンプ回路１０ｂは、変調キャリアを検出している間だけ作動するようにすると、電源の投入当初に、図３に示すような、アンプ出力にスパイクが生じることがなくなる。
【００３２】
特に、図１に示しているように、基準電源回路Ｖｂが、レファレンス電源電圧の安定のために、基準抵抗Ｒに並列にコンデンサＣを接続しているような構成のものでは、電源投入時に基準抵抗Ｒによる電源の立上りが遅れ、基準信号のレベルが低下するため、上記したような電源制御は有効となる。
次に、テレビインターホンシステムの基本動作について説明する。
【００３３】
待機状態では、親機２から音声／映像信号ラインＬに対して待機時電圧（６Ｖ）を供給する。待機状態において、子器３の呼出釦の操作により呼出をすると、音声／映像信号ラインＬの電圧レベルが一時的に低下するので（６Ｖから−０．７５Ｖに変化）、親機２と中継親機１の双方の呼出検出回路（不図示）で、この状態を検出し、呼出チャイムを鳴動する。すると、親機１からカメラ給電回路２２によってカメラ電源（１４．５Ｖ）が供給されるので、親機２と中継親機１の双方のＴＶ回路２５，１６に、子器３から、カメラ電源に重畳された映像信号が送られ、子器３側の来客の映像が映し出される。
【００３４】
子器３の呼出に対して、親機２が通話釦の操作により応答すれば、親機２から、４０ｋＨｚコマンド送出回路２０によって、音声／映像信号ラインＬを介して、中継親機１に開放信号が送出され、中継親機１の４０ｋＨｚ復調回路１０によって、これを受信すれば、中継親機１は、音声／映像信号ラインＬとＴＶ回路１６との接続を遮断する。この結果、親機２と子器３のみが音声／映像信号ラインＬを通じて通話可能となる。親機２と子器３との間には、映像信号（ベースバンド）に、ＦＭ変調された音声信号が重畳された多重信号が送受され、親機２では、映像を見ながら子器３との双方向の通話が可能となる。
【００３５】
一方、子器３の呼出に対して、中継親機１が応答すれば、カメラ給電切替手段１１を切り替えて、親機２と子器３との接続を遮断する。すなわち、親機２を音声／映像信号ラインＬから切り離す。このとき、親機２からのカメラ電源の供給は遮断され、代わりに中継親機１のカメラ給電回路１３からカメラ電源（１４．５Ｖ）が供給される。これによって、中継親機１と子器３とは通話可能となる。中継親機１と子器３との間には、映像信号（ベースバンド）に、ＦＭ変調された音声信号が重畳された多重信号が送受され、中継親機１では、映像を見ながら子器３との双方向の通話が可能となる。
【００３６】
【発明の効果】
以上の説明からも理解できるように、本発明の請求項１に記載の中継インターホン親機では、変調キャリアが検出されないときには、インターホン親機から送出されてくる制御信号の復調回路の作動を禁止するので、インターホン親機によるカメラ子器側のモニタ時に、変調キャリアがなく、映像信号を受信して、誤動作するおそれがない。
【００３７】
請求項２に記載の中継インターホン親機では、変調キャリアが検出されないときには、信号処理回路は復調器から入力される増幅信号の処理を無効にするので、インターホン親機によるカメラ子器側のモニタ時に、変調キャリアがなく、映像信号を受信して、誤動作するおそれがない。
請求項３に記載の中継インターホン親機では、請求項１による効果に加えて、復調器が変調キャリアを検出しない間は、復調回路のアンプ電源を遮断する一方、基準電源回路へは常時電源が投入されるので、アンプ電源と基準電源とが立上り時定数に差があるために、電源の投入当初に、アンプ回路からの出力にスパイクが生じることがない。
【００３８】
請求項４に記載の中継インターホン親機では、請求項１〜請求項３による効果に加えて、制御信号のキャリア信号を、音声信号をＦＭ変調するキャリア信号を、そのまま使用することが出来る。
請求項５に記載の中継インターホン親機では、請求項１〜請求項４の効果に加えて、変調キャリアには、所定の周波数のバースト信号を重畳して、制御信号を生成しているので、簡単な構成で、インターホン親機における応答を検出し、ラインを開放することができる。
【００３９】
請求項６に記載のテレビインターホンシステムでは、中継インターホン親機は、変調キャリアが検出されない期間や、変調キャリアを検出した直後に、誤動作するおそれがないので、システムの信頼性が向上する。
請求項７に記載のテレビインターホンシステムでは、請求項６による効果に加えて、中継インターホン親機、インターホン親機のモニタテレビには、カラー画像が表示されるので、カメラ子器側の映像が認識しやすくなる。
【図面の簡単な説明】
【図１】本発明の中継インターホン親機の要部構成の一例を示す図である。
【図２】本発明のテレビインターホンシステムの構成の一例を示すブロック図である。
【図３】中継インターホン親機の復調回路のアンプ回路からの出力波形の一例を示す図である。
【図４】テレビインターホンシステムの構成を示す図である。
【図５】テレビインターホンシステムにおける信号の例を示す図である。
【図６】従来の中継インターホン親機の復調回路の構成を示す図である。
【符号の説明】
１      中継インターホン親機
１０    ４０ｋＨｚ復調回路
１０ａ  ＦＭ復調器
１０ｂ  アンプ回路
１０ｃ  ＦＭキャリアコントロール回路
１１    カメラ給電切替手段
１２    マイコン
１３    カメラ給電回路
１６    ＴＶ回路
２      インターホン親機
３      カメラ子器
Ｌ      音声／映像信号ライン
【図１】
0003584804.tif 000002
【図２】
0003584804.tif 000003
【図３】
0003584804.tif 000004
【図４】
0003584804.tif 000005
【図５】
0003584804.tif 000006
【図６】
0003584804.tif 000007